(57)【要約】【課題】オフィスフロアにおける暖房システムの効率化とパーソナル化を図り健康で快適なオフィス環境を実現する床暖房機能付椅子を提供すること。【解決手段】椅子の腰掛け部の下方空間に面状発熱シートを内蔵したパネルが配設される。このパネルは、腰掛け部の下方空間に収納されており、使用時には床に下ろし展開できる。その発熱面は椅子上部前方に向いており、遠赤外線の効果により発熱、加熱しパーソナルに足元の冷えを解消する。【選択図】    図１
2006141739.tif 000002
【特許請求の範囲】
【請求項１】
椅子やソファー等の腰掛け部の下方空間に面状発熱シートを内蔵したパネルを装着し、前記面状発熱シートを内蔵したパネルは裏面に断熱材、表面にガードカバーを有して前記腰掛け部の下方空間に屈折収納或いは吊下収納或いはキャビネット収納されており、使用時にはパネルを床に展開し敷設して、通電し、椅子やソファー等の着席域を暖房することを特徴とする床暖房機能付椅子。
【請求項２】
４脚椅子や４脚ソファーの腰掛け部の下方空間に面状発熱シートを内蔵したパネルを装着したものであって、前記パネルは中途に折畳みできる屈折部を設けて、腰掛け部の裏面に付設したレールに前後動自在に吊下げられて屈折収納されており、前記パネルを降ろし展開し、床に敷設して使用する着席域を暖房することを特徴とする床暖房機能付椅子。
【請求項３】
ソファーや椅子等の腰掛け部の下方空間に面状発熱シートを内蔵したパネルを装着したものであって、前記腰掛け部の下方空間に設けたキャビネットの上面に面状発熱シートを内蔵したパネルを設けるとともに前記キャビネットの内部に引出し自在に面状発熱シートを内蔵したパネルを収納しており、キャビネットから面状発熱シートを内蔵したパネルをソファー等の前方に引き出し、床に敷設して使用するソファー等の着席域を暖房することを特徴とする床暖房機能付椅子。
【請求項４】
前記面状発熱シートは、シリコンゴム又はテフロン（登録商標）をバインダーとして、ガラス繊維布にカーボンを焼き付け、その左右端に銅箔等の接続端子を長手方向に縫着延設してなり、通電によりシート両端の銅箔に流れることで遠赤外線放射することを特徴とする請求項１〜請求項3のいずれかに記載の床暖房機能付椅子。
【発明の詳細な説明】
【技術分野】
【０００１】
本発明は、暖房機能付の椅子に関するものである。
【背景技術】
【０００２】
事務机が多数並ぶオフィスなどの大空間における空気温湿度調整は、特に冬季に暖房を行う場合、従来は、エアコン等の暖房器具を設置するか、床や壁面などの部分から温風を吹き出す方法あるいはフロア全面に敷設した床暖房によるものがあった。
しかし、これらの方法では、人のいない空間まで暖房することになり無駄が多く効率が悪い。さらに、室内の上方に暖気が移動するため床からの冷えが解消できないなどの指摘がある。
そのため、椅子に座った状態での各事務机でのパソコン作業時や、会議室のソファーの着席時など、個別部分的に暖を取る方法として、床に足温暖房マットを置いたり敷いたり足元に電気ストーブを置くなどして対応するのが一般的であった。
しかし、市販布製の足温暖房マットは、靴による踏付けでは損傷が激しく、オフィスフロアには適さない。また、足元に置かれた電気ストーブは紙類等が散乱するオフィスでは引火等の危険性があるため適さないといった問題がある。
【０００３】
大空間における均一な空調は、そこに居る者のパーソナルな温度感覚とは無関係に行われ、平均的温度や平均的湿度という規定に基づく空調にしたために生じる問題（人によって寒すぎたり、暑すぎたり、乾燥程度や体調が悪い人にかえって悪環境を提供する問題）がある。
【発明の開示】
【発明が解決しようとする課題】
【０００４】
解決しようとする問題点は、前記オフィスフロアにおける従前の暖房の方法に鑑みて、パソコンデスク等の個人着席活動域（着席してパソコン操作などの事務活動や事務作業を行う範囲の床域＝着席した状態や足を前方に伸ばした状態での範囲域）の床を効率的かつ安全で低コストによって暖房を行えないかという課題である。
それにより、オフィスにおけるパーソナルな暖房を効率よく経済的に行い、フロア全体の暖房も経済的に行えないかという課題である。
もとより、椅子の座面を暖めるという発想の技術は散見できるが、本発明は座面自体を暖めるという発想ではない。
【特許文献１】特開平１０−４３００２号
【特許文献２】特開平８−１４０７７８号
【課題を解決するための手段】
【０００５】
前記課題を解決するため、本発明は、着席時の椅子やソファーの下方空間に着眼しその部分に、最小限の着席域（着席した状態や足を前方に伸ばした状態での活動範囲域）を床暖房するに適切な暖房手段を案出したものである。
ここに本発明にかかる床暖房機能付椅子は、１００Ｖ電源で通電し、遠赤外線放射する面状発熱シートを、椅子やソファーの腰掛け部の下方空間に、引出し状あるいはロール状あるいは折畳み状に配設したものであり、使用時には床に下ろして引き出し敷設し、あるいは床に下ろして展開し敷設し、遠赤外線効果により放熱し、椅子の上方域や周囲や足元の冷えを暖房することができる構成を提案する。
従って、従来の例えば座席にヒーターを内蔵した椅子とか、背もたれにヒーターを内蔵したソファーというものとはまったく異なる。
本発明は、椅子やソファー自体ではなくその下方からのパーソナルな床暖房であることが大きな特徴である。
【０００６】
具体的には椅子等の腰掛け部の下方空間に面状発熱シートを内蔵したパネルを装着配設して、使用時に前記パネルを椅子の直下乃至前方域に展開し敷設して、足元の冷えを遠赤外線効果とともに加熱し、暖房することを特徴とする暖房機能付椅子を提供する。
この床暖房機能付椅子は、椅子やソファー等の腰掛け部の下方空間に面状発熱シートを内蔵したパネルを装着した構成であり、前記面状発熱シートを内蔵したパネルは裏面に断熱材、表面にガードカバーを有して前記腰掛け部の下方空間に屈折収納或いは吊下収納或いはキャビネット収納されており、使用時には前記パネルを床に展開し敷いて、通電し、椅子やソファー等の着席域を暖房するものである。
前記面状発熱シートには、オフィス電源から通電するための通電手段(スイッチや温度調節器やリード線  コード等)を設けている。
面状発熱シートは、電気式暖房に採用されている様々な機能のものがある（甲種電気用品認定Ｎｏ．８１−２０６１０日本・アメリカＵＬ・イギリスＢＢＡ・他）が、本発明では、好ましくは遠赤外線を放射するものが選択される。
接触による伝熱暖房のみではなく着席域の床暖房が基本だからである。
面状発熱シートは、椅子やソファーの下方空間から上方に向けて遠赤外線を放射するとともに本体自体も電熱で発熱することで、着席活動域を床暖することになる。
面状発熱シートは、椅子やソファーの下にコンパクトに収納しておける形態が採用できれば、その構造や素材は問わない、本発明では、折り畳むことができる構造、ロール状に巻き込むことができる薄い形態、引き出して使用できる形態などが提案できる。
いずれにしろ面状発熱シートは、収納時はコンパクトに折り畳める収納形態と、使用時には面積を広げることができる展開形態が可能な構成が採択される。
【０００７】
面状発熱シートは、シリコンゴム又はテフロン（登録商標）をバインダーとして、ガラス繊維布にカーボンを焼き付けたものでその左右端に接続端子として銅箔を長手方向に縫着延設したものであり、＋と−の電気がシート両端の銅箔に流れることで面全体から熱を発する作用がある。
面状発熱シートは、安全規格取得済みの英国のFLEXEL社製フレクセル(商標)の面状発熱シートを用いることができる。
そのほか面状発熱シートは、カーボンやセラミック等をガラス繊維布に付着させるか混練して、極薄のシート状に成型して左右縁に接続端子を延設した構成で、接続端子に通電することで、むらなく発熱し、遠赤外線を放射し、発熱暖房できる平面状の発熱シートである。
面状発熱シートは、本発明で床に敷くものとして使用する場合は、その表面にタイルカーペット等で保護するようにガードカバーを設け、裏面には断熱して有効利用するように断熱板などの断熱材を設けたパネルとしている。
ガードカバーは、木、合成樹脂タイルカーペット、塩化ビニール、またはアクリル素材、などの絶縁性素材を用いることができる。
ガードカバーにＦＲＰ（ガラスクロス・ウレタン基材）を使用すれば、平面状に限らず、湾曲面を形成することもできるし、色彩や模様も自由である。
ガードカバーは、丈夫なアルミ合金パネルでも作成できる。アルミ合金パネルは、ＯＡフロア用に開発されたパネルの平面体であり、強度上の要請に十分答えることが出来かつ伝熱性に優れているとともに、電磁波防御や遠赤外線放射効果もある。
ガードカバーとしてアルミ合金パネルにする場合は、銅箔とは絶縁層で絶縁して取り付け表面には布製カーペットを張っても良い。
ガードカバーは、大理石やテラコッタなどの石材でもよい。発熱部分は低温で均一であるので、石等の床材にストレスをあまり与えない。
このサンドイッチ構造のパネルには、１００V約６０W程度の電源を供給して、発熱機能させる。
この構成に係るパネルを装着した暖房機能付椅子は、その周囲と前方域（着席して足を伸ばした状態の範囲）のパーソナルな最小限の着席活動域を遠赤外線放射で暖房するものであり、経済的な電気使用料で、最小域でかつ余分な放射をしないために効率の良いパーソナル暖房ができる。
【０００８】
大空間のオフィスで、最低限の空調を行い、個人レベルではパーソナルな暖房をすることで、個々にとって最適な暖房環境を経済的に実現できる。
【発明の効果】
【０００９】
以上説明した通り、本発明に係る床暖房機能付椅子の上記構成によれば、従来の空調システムまたは暖房システムでは十分な空調効果または暖房効果を発揮し難い広面積のオフィスフロアにおいて、以下に列記するような効果が得られる。
（１）本案の暖房機能付椅子を用いることで、パーソナルな暖房ができ、既設の暖房温度の設定を低く抑えられ、省エネ効果が大きい。また、前記面状発熱シートの発熱に要する電力は１００Ｖ、５０Ｗ〜７０Ｗで電気代が極めて低額であるから、暖房コストの大幅削減に繋がる。
（２）個別に温度設定することができ、各人が最適な温度を保つことで快適な暖房を実現できる。
（３）上記効果に加え、足元の冷えを解消することで頭寒足熱を達成し、オフィス環境の改善と事務能率の向上を図れる。
（４）床暖房となるパネルが、椅子の下方空間部に収納されるので、邪魔にならず、椅子とともに移動でき、かつ展開が極めて容易である。
【発明を実施するための最良の形態】
【００１０】
本発明の床暖房機能付椅子は、図１〜図２１に示されるように、椅子やソファー等の腰掛け部１の下方空間に、面状発熱シート１４を内蔵したパネル４０を、着席域に展開して敷設できるように収納したものである。
パネル４０は、図１の椅子の後脚２a,２b、図５の椅子の支脚９または、図１５の椅子の裏面に設けた伸縮吊棒８に取付けたり、または図１の椅子の裏面に設けたスライド式レール１０に取付けられる。
面状発熱シート１４を内蔵したパネル４０は、その取付け位置に応じて、又はその特質に応じて、屈折部を設けて折畳み可能にしたり、様々な形態ものが案出できる。
【００１１】
そして、面状発熱シート１４を内蔵したパネル４０は、ケース３内に引き出し自在に収納された収納形態、極めて薄いパネル４０とすればロール状に巻き取れる形態、または屈折部を設けて折畳み状で収納でき展開配置できる形態を開示している。（但し図１及び図２、図１３及び図１４のタイプにはケースやキャビネットはない。また、図３及び図４はソファータイプとし、ケースではなくキャビネット＝戸棚タイプとする。）。
【００１２】
面状発熱シート１４は、図２０、図２１に示すようにその表面をガードカバーであるタイルカーペット１３で保護カバーし、裏側を断熱材１５によりサンドイッチにしたパネル４０の構造とする。
発熱シート４は、前記のように英国製のフレクセル（商標：カーボンやセラミック等をガラス繊維布に付着させて成型して左右縁に端子を延設した構成で、端子に通電することで、どの部分からも遠赤外線を放射し、暖房できる面状の発熱シート）の面状発熱シートを用いた。
【００１３】
面状発熱シート１４は、厚さは３０mm以下、縦３０ｃｍ×横５０ｃｍの矩形単位が好適である。面状発熱シート１４の発熱に要する電力は１００Ｖ、５０〜７０Ｗが好ましい。
フレクセル(商標)の発熱シートは、２mm程度の厚さであり、６０Ｗ消費電力である。
また、発熱要素は、電気コード６を介してコンセントに接続され、手動電源スイッチ５によりON/OFF制御される。
好ましくは、発熱要素は安全ヒューズを備え、制御機構としては、調熱スイッチ５があるものが望ましい。
【実施例１】
【００１４】
図１はこの発明の実施例による前記床暖房機能付椅子の斜視図であり、図２は同実施例の使用時において面状発熱シート１４を内蔵したパネル４０を展開した際の斜視図である。
図１及び図２に示すように、腰掛け部１の下方にスライド式レール１０をレール固定金具１１ａと１１ｂで取付けている。
スライド式レール１０には、ローラー付連結棒１２が前後動自在に取付けられ、
このローラー付連結棒１２に面状発熱シート１４を内蔵したパネル４０が吊り下げられている。
面状発熱シート１４を内蔵したパネル４０は、中途に屈折部を有しており、その端部をローラー付連結棒１２で固定し、レール１０を介して前後にスライドする。不使用時には、折畳んで椅子の裏側に吊り上げておく。
使用時にはパネル４０を、広げて降ろし、足元の方向である椅子前方側に引き出して展開する。
この際前記面状発熱シート１４を内蔵したパネル４０はＬ字型に屈曲しており、発熱面が椅子の上方及び前方を向くように配設されている。
それにより、前記面状発熱シート１４から放出される遠赤外線が座った人の足元に集束し、その周囲を暖房する。
遠赤外線による放射熱は、椅子の着席活動域である背もたれや足元、腰の周囲にほのかなぬくもり暖房を行う。
面状発熱シート１４に接続された電気コード６は壁部の電源用コンセントに接続される。
前記面状発熱シート１４に供給される電源のON/OFF及び温度調整は、手元の手動電源スイッチ５のボタン操作により行う。
【実施例２】
【００１５】
図３はこの発明の異なる実施例による前記床暖房機能付椅子(ソファー)の斜視図であり、図４は同実施例の使用時において面状発熱シート１４を内蔵したパネル４を引き出し展開した際の斜視図である。
図３及び図４に示すように、ソファーの腰掛け部１の下方にキャビネット１６を床に接した状態或いは床から離して配設する。
前記キャビネット１６の上部表面には、この部分は足で踏む面ではないので、面状発熱シート１４が敷設されている。
もちろん面状発熱シート１４を内蔵したパネル４でもよい。
その下方には異なる面状発熱シート１４を内蔵したパネル４が、前記キャビネット１６内に収納されていて、使用時に椅子前方に引き出して展開できるように配設されている。
この際面状発熱シート１４の発熱面は椅子上方に向くように配設されている。
それにより、前記面状発熱シート１４から放出される遠赤外線が座った人の足元や腰周囲に集束する。
面状発熱シート１４に接続された電気コード６は壁部等の電源用コンセントに接続される。
前記面状発熱シート１４に供給される電源のON/OFF及び温度調整は、手元の手動電源スイッチ５のボタン操作により行う。
【００１６】
図５は、図３に示すソファーを用いて、数個のソファーから構成される応接セットにおけるパネル４の配置を示すレイアウトの例図である。
図５で示すように、面状発熱シート１４とキャビネット１６は、各ソファーに配設する。
使用に際しては、ＳＷ操作により暖房を必要とする箇所を選択できる。
【実施例３】
【００１７】
図６はこの発明の異なる実施例による前記床暖房機能付椅子の斜視図であり、面状発熱シート１４を極薄の素材で、巻取り収納自在なもので作成した場合の収納状態を示すものである。
面状発熱シート１４が、ロール可能な薄さの素材である場合の実施例である。
図７は同実施例の使用時において極薄の面状発熱シート１４を引き出し展開した際の斜視図である。
この構成例の面状発熱シート１４は、巻き取り収納ができるように、薄く柔軟なパネル４０に構成する。床としての強度があり、遠赤外線放射する。
図６及び図７に示すように、面状発熱シート収納ケース３はケース固定部７により支脚９に固定する。ケース固定部７は着脱自在である。
支脚９に固定することで、面状発熱シート１４を引き出した位置のままで、椅子の座席部分を回転できる。
【００１８】
面状発熱シート１４は前記ケース３内にロール状に収納されていて、使用時に床に引き出し下ろし、椅子前方に引き出して展開する。
この際前記面状発熱シート１４はＵ字状に湾曲しており、発熱面が椅子の上部前方を向くように配設されている。それにより、前記面状発熱シート１４から放出される遠赤外線が座った人の足元に集束する。
面状発熱シート１４に接続された電気コード６は壁部等の電源用コンセントに接続される。
前記面状発熱シート１４に供給される電源のON/OFF及び温度調整は、手元の手動電源スイッチ５のボタン操作により行う。
【実施例４】
【００１９】
図８はこの発明の実施例による前記床暖房機能付椅子の斜視図であり、図９は同実施例の使用時において面状発熱シート１４を展開した際の斜視図である。
図８、図９は、前記図６、図７の収納ケース３を椅子の前端部に付設したものを示している。
図８及び図９で示すように、面状発熱シート収納ケース３は腰掛け部１の下方に固定する。収納ケース３は腰掛け部１の裏面で前側に吊設している。
面状発熱シート１４は前記ケース３内にロール状に収納されていて、使用時に床に下ろし、椅子前方に引き出して展開する。この際前記面状発熱シート１４はＵ字状に湾曲しており、発熱面が椅子の上部前方を向くように配設されている。それにより、前記面状発熱シート１４から放出される遠赤外線が座った人の足元に収束する。
面状発熱シート１４に接続された電気コード６は壁部の電源用コンセントに接続される。前記面状発熱シート１４に供給される電源のON/OFF及び温度調整は、手元の手動電源スイッチ５のボタン操作により行う。
【実施例５】
【００２０】
図１０は、この発明の実施例による前記床暖房機能付椅子の斜視図であり、図１１は、同実施例の使用時において面状発熱シート１４を展開した際の斜視図である。
図１０及び図１１で示すように、面状発熱シート収納ケース３は腰掛け部１の下方に固定する。
面状発熱シート１４は前記ケース３内にS字状に折畳んで収納されていて、使用時に床に下ろし、椅子前方に引き出して展開する。この際前記面状発熱シート１４はＵ字状に湾曲しており、発熱面が椅子の上部前方を向くように配設されている。それにより、前記面状発熱シート１４から放出される遠赤外線が座った人の足元に集束する。
面状発熱シート１４に接続された電気コード６は壁部の電源用コンセントに接続される。前記面状発熱シート１４に供給される電源のON/OFF及び温度調整は、手元の手動電源スイッチ５のボタン操作により行う。
【実施例６】
【００２１】
図１２はこの発明の実施例による前記床暖房機能付椅子の斜視図であり、図１３は同実施例の使用時において面状発熱シート１４を展開した際の斜視図である。
図１２及び図１３で示すように、面状発熱シート収納ケース３は腰掛け部１の下方に支脚９を介して固定する。
面状発熱シート１４は前記ケース３内にS字状に折畳んで収納されている。この収納の仕方は、支脚９の前方部分に折畳んで収納してあるが、収納の仕方は特に限定するものではない。
面状発熱シート１４は、使用時に床に下ろし、椅子前方に引き出して展開する。この際前記面状発熱シート１４は、発熱面が椅子の上部前方を向くように配設されている。それにより、前記面状発熱シート１４から放出される電熱や遠赤外線放射による熱が座った人の足元に収束する。
面状発熱シート１４に接続された電気コード６は壁部の電源用コンセントに接続される。前記面状発熱シート１４に供給される電源のON/OFF及び温度調整は、手元の手動電源スイッチ５のボタン操作により行う。
【実施例７】
【００２２】
図１４はこの発明の実施例による前記床暖房機能付椅子の斜視図であり、図１５は同実施例の使用時において面状発熱シート１４を展開した際の斜視図である。
図１４及び図１５で示すように、前記面状発熱シート１４は後脚２a,２bを背にして折畳んだ状態で固定する。
使用時に前記面状発熱シート１４を床に下ろし、椅子前方に引き出して展開する。この際前記面状発熱シート１４の発熱面は上方を向くように配設されている。
それにより、前記面状発熱シート１４から放出される遠赤外線が座った人の足元に集束する。
面状発熱シート１４に接続された電気コード６は壁部の電源用コンセントに接続される。前記面状発熱シート１４に供給される電源のON/OFF及び温度調整は、手元の手動電源スイッチ５のボタン操作により行う。
【実施例８】
【００２３】
図１６はこの発明の異なる実施例による前記床暖房機能付椅子の斜視図であり、図１７は同実施例の使用時において面状発熱シート１４を展開した際の斜視図である。
図１６及び図１７で示すように、面状発熱シート収納ケース３は腰掛け部１の下方に伸縮吊棒８を介して固定する。
面状発熱シート１４は前記ケース３内にロール状に収納されていて、使用時に床に下ろし、椅子前方に引き出して展開する。
この際前記面状発熱シート１４の発熱面は上方を向くように配設されている。
それにより、前記面状発熱シート１４から放出される遠赤外線が座った人の足元に収束する。
面状発熱シート１４に接続された電気コード６は壁部の電源用コンセントに接続される。前記面状発熱シート１４に供給される電源のON/OFF及び温度調整は、手元の手動電源スイッチ５のボタン操作により行う。
【実施例９】
【００２４】
図１８はこの発明の異なる実施例による前記床暖房機能付椅子の斜視図であり、図１９は同実施例の使用時において面状発熱シート１４を展開した際の斜視図である。
図１８及び図１９で示すように、面状発熱シートの収納ケース３は後脚２a,２bに接して床に接して固定する。
面状発熱シート１４は前記ケース３内にロール状に収納されていて、使用時に椅子前方に引き出して展開する。
この際前記面状発熱シート１４の発熱面は上方を向くように配設されている。それにより、前記面状発熱シート１４から放出される遠赤外線が座った人の足元に収束する。
面状発熱シート１４に接続された電気コード６は壁部の電源用コンセントに接続される。前記面状発熱シート１４に供給される電源のON/OFF及び温度調整は、手元の手動電源スイッチ５のボタン操作により行う。
【００２５】
図２０は面状発熱シート１４を内蔵したパネル４０の斜視図であり、図２１は面状発熱シートの断面構造図である。
面状発熱シート１４は、薄いシート状のヒーターであり、 シリコンゴム又はテフロン（登録商標）をバインダーとして、ガラス繊維布にカーボンを焼き付けたものでその左右端に銅箔を接続端子として長手方向に縫着延設したものであり、＋と−の電気がシート両端の銅箔に流れることで面全体から熱を発する作用がある。
原料であるカーボンからは、８〜１５ミクロンの波長で、遠赤外線が効率よく放射される。一般に５〜１００ミクロンの波長のものを遠赤外線といい、その中でも６〜１４ミクロンの波長帯は、「生育光線」、「健康光線」と称されており、本考案の面状発熱シートはこの波長帯を放射するものである。
【００２６】
カーボンに加えて、適宜なセラミックを混入し、不燃性合成樹脂に混練してシート状に成型し、健康光線域の波長帯を選択することも可能である。遠赤外線の放射により、室内の温度は床から天井までむらなく一定になり、暖かい空気が天井付近にのみ集まることがない。
遠赤外線が体を直接温めるので、高い天井や広いスペースでも、１８℃〜２１℃の室温で十分な暖を採ることが出来、暖房効率に優れている。
又、ボイラー等の使用を前提としないし、機械的可動部分もないので、定期的な点検や補修などのメンテナンスも必要なく、極めてランニングコストが経済的といえる。 
【００２７】
図２０と図２１で示すように、面状発熱シート１４は３重構造、すなわち、タイルカーペット１３及び発熱体１４及び断熱体１５で構成されている。
また、複数枚の面状発熱シート１４はリード線で接続することもできる。
【００２８】
タイルカーペット等の中には、アルミ合金パネルなども含まれる。アルミ合金パネルは、ＯＡフロア用に開発したパネルの平面体で作成される。
【００２９】
このように、遠赤外線は直接的に人体に熱エネルギーを与えるので、広面積のオフィスフロアにおいても、人の足元を効率的に暖めることができ、頭寒足熱が達成される。
また、この面状発熱シート１４は極めて薄く、或いは屈折して折畳むことができるので、腰掛け部１の下方空間に配設されるので、特別なスペースを要しない。
【産業上の利用可能性】
【００３０】
近年地球温暖化が問題視されその対策が急務となりつつある状況の中、企業においても省エネを意識した経営が求められている。
また、いつの時代にも経費節減が合理的課題とされている。
中でもオフィスの光熱費が占める割合は高く、その削減に多大な関心を寄せている経営者は多い。
本発明は、オフィスフロアにおける暖房システム全体をパーソナル化乃至効率化することで暖房コストを大幅に削減するのみならず、頭寒足熱を達成し健康で快適なオフィス環境にすることができる。
従来からオフィスの暖房は、様々に開発されているが、本発明の床暖房機能付椅子は、機動性及び安全性を要求されるオフィスフロアでの利用に耐えうるもので、大きな市場があるものと推察される。
本発明に係る面状発熱シートを配設した床暖房機能付椅子は、既述した現在の地球環境保護ないし経費節減による省エネ経営を成し遂げるものであり、そしてなにより、健康で快適なオフィス環境を構築し、仕事の効率化にも繋がるという点において画期的といえる。
【図面の簡単な説明】
【００３１】
【図１】床暖房機能付椅子の一実施例を示す斜視図
【図２】同じ実施例のパネルの展開状態を示す斜視図
【図３】床暖房機能付椅子(ソファー)の一実施例を示す斜視図
【図４】同じ実施例のパネルの引き出し状態を示す斜視図
【図５】応接セットにおけるレイアウトの例図
【図６】発熱シートの巻取り収納タイプの一実施例を示す斜視図
【図７】同じ実施例の発熱シートを引き出した状態の斜視図
【図８】巻取り収納ケースの取付け位置の異なる実施例の斜視図
【図９】同じ実施例の発熱シートを引き出した状態の斜視図
【図１０】椅子の裏面にケースを設けた実施例の斜視図
【図１１】同じ実施例の発熱シートを引き出した状態の斜視図
【図１２】椅子の支脚中途部にケースを設けて発熱シートを収納した実施例の斜視図、
【図１３】同じ実施例の発熱シートを引き出した状態の斜視図
【図１４】椅子の支脚の後方に発熱シートを折畳んだ実施例の斜視図
【図１５】同じ実施例の発熱シートを展開し敷設した状態の斜視図
【図１６】椅子の裏面に伸縮する吊棒を設けてケースを付設した実施例の斜視図
【図１７】同じ実施例の発熱シートを引き降ろし、引き出した状態の斜視図。
【図１８】椅子の支脚の後方に発熱シートを巻き取り収納した実施例の斜視図
【図１９】同じ実施例の発熱シートを使用時において引き出した状態の斜視図
【図２０】面状発熱シートを内蔵したパネル斜視図
【図２１】同じくパネルの断面図
【符号の説明】
【００３２】
１      椅子腰掛け部
２      支脚
２ａ    後脚
２ｂ    後脚
３      面状発熱シート収納ケース
１４    面状発熱シート  
４０    パネル（面状発熱シートの表裏面にカバーを設けたもの）
５      手動電源スイッチ
６      電気コード
７      ケース固定部
８      伸縮吊棒
９      支脚（一本支軸）
１０    スライド式レール
１１ａ  レール固定金具
１１ｂ  レール固定金具
１２    ローラー付固定棒
１３    タイルカーペット
１５    断熱材
１６    キャビネット
【図１】
2006141739.tif 000003
【図２】
2006141739.tif 000004
【図３】
2006141739.tif 000005
【図４】
2006141739.tif 000006
【図５】
2006141739.tif 000007
【図６】
2006141739.tif 000008
【図７】
2006141739.tif 000009
【図８】
2006141739.tif 000010
【図９】
2006141739.tif 000011
【図１０】
2006141739.tif 000012
【図１１】
2006141739.tif 000013
【図１２】
2006141739.tif 000014
【図１３】
2006141739.tif 000015
【図１４】
2006141739.tif 000016
【図１５】
2006141739.tif 000017
【図１６】
2006141739.tif 000018
【図１７】
2006141739.tif 000019
【図１８】
2006141739.tif 000020
【図１９】
2006141739.tif 000021
【図２０】
2006141739.tif 000022
【図２１】
2006141739.tif 000023